(57)【要約】  空気調和機は床置形室内機と、床置形室内機を制御する制御基板（９）と、床置形室内機に設置され、検出した冷媒の濃度に従いオンデューティを変化させた検出信号（７１）を出力する冷媒センサ（７）と、床置形室内機に設置され、検出信号（７１）を制御基板（９）へ伝送する信号伝達経路が断線したことを示す第１の点灯状態と、信号伝達経路が断線していないことを示す第２の点灯状態とに変化する発光部であるＬＥＤ（３０２）とを備える。
2017195365.tif 000002
【特許請求の範囲】
【請求項１】
床置形室内機と、
前記床置形室内機に設置され、前記床置形室内機を制御する制御基板と、
前記床置形室内機に設置され、検出した冷媒の濃度に従いオンデューティを変化させた検出信号を出力する冷媒センサと、
前記床置形室内機に設置され、前記検出信号を前記制御基板へ伝送する信号伝達経路が断線したことを示す第１の点灯状態と、前記信号伝達経路が断線していないことを示す第２の点灯状態とに変化する発光部と
を備えたことを特徴とする空気調和機。
【請求項２】
前記第１の点灯状態では前記発光部を点灯または消灯させ、前記第２の点灯状態では前記発光部を点滅させる点灯制御部を備えたことを特徴とする請求項１に記載の空気調和機。
【請求項３】
前記制御基板と前記冷媒センサとの間に配置され、前記点灯制御部が設置される中継基板を備え、
前記点灯制御部は、前記制御基板と前記中継基板との間の前記信号伝達経路が断線した場合には前記発光部を消灯させ、前記中継基板と前記冷媒センサとの間の前記信号伝達経路が断線した場合には前記発光部を点灯させることを特徴とする請求項２に記載の空気調和機。
【請求項４】
前記発光部は前記制御基板または前記中継基板に設置されていることを特徴とする請求項３に記載の空気調和機。
【発明の詳細な説明】
【技術分野】
【０００１】
本発明は、床置形室内機と床置形室内機側で漏洩した冷媒を検出する冷媒センサとを備えた空気調和機に関する。
【背景技術】
【０００２】
フロン系冷媒は、物性が安定し、取扱が容易な半面、地球温暖化係数が高く地球環境に悪影響を与えるため、温暖化係数の低い自然冷媒であるプロパンまたはプロピレンといった炭化水素系冷媒がフロン系冷媒の代替えとして注目されている。ところが炭化水素系冷媒は、可燃性を有するため、空気調和機へ適用する場合、空気調和機から漏洩した冷媒が可燃濃度に達する可能性がある。従って空気調和機においては、冷媒の漏洩を早期に検出して、漏洩した冷媒が可燃濃度にならないように何らかの対策を講ずることが望ましい。【０００３】
特許文献１に開示される床置形室内機は、送風ファン、ファンモータおよび圧縮機といった機器を統括制御する制御基板と、ユーザが空気調和機の運転操作、運転状態および異常内容をモニタするリモコンとを備える。冷媒センサは信号線を含む配線を介して制御基板に接続される。特許文献１に開示される床置形室内機では機械室下部に冷媒センサが設置されている。これは炭化水素系冷媒の比重が空気の比重よりも大きく、機械室下部に冷媒センサを設置することにより、漏洩した冷媒の濃度を効果的に測定できるためである。冷媒センサでは、熱交換器およびユニオン継手といった冷凍サイクルの構成部品から漏洩した冷媒が検出され、床置形室内機は、その濃度が一定値以上に達したとき、送風ファンを運転して冷媒を拡散することにより、冷媒の濃度が可燃濃度まで上昇することを防止している。【０００４】
一方、特許文献１に開示される床置形室内機は、空気調和機に生じた各種異常の内容をユーザへ通知するため、リモコンに異常内容を表示する機能を有する。異常内容としては、冷媒が漏洩したことを示す冷媒漏洩情報と、室内機と室外機との間の通信に異常が生じたことを示す通信異常情報と、冷媒センサから出力される冷媒の検出信号を伝達する信号線に断線が生じたことを示す断線異常情報とを例示できる。
【先行技術文献】
【特許文献】
【０００５】
【特許文献１】特開２０１５−９４５６６号公報
【発明の概要】
【発明が解決しようとする課題】
【０００６】
特許文献１に代表される従来の床置形室内機は、通信異常および断線異常といった情報よりも優先度の高い冷媒漏洩情報をリモコンに表示させるように構成されている。これは、冷媒の濃度が可燃濃度まで上昇する前に冷媒が漏洩したことをユーザへ通知することにより、空気調和機が設置されている部屋の換気を促し、またはユーザの操作により空気調和機を動作させて強制的に冷媒を拡散させるためである。従って冷媒漏洩が検出された後に上記の信号線が断線した場合、リモコンには断線異常が表示されず冷媒漏洩情報のみ表示される。そのためサービスマンは、冷媒漏洩情報のみ表示された床置形室内機に対して冷媒漏洩対策のみ行うため、対策が完了した後に断線異常に気づき、再度断線異常対策を行う必要が生じるという問題があった。【０００７】
本発明は、上記に鑑みてなされたものであって、可燃性の冷媒の漏洩対策を損なうことなく断線異常対策の作業性を向上させることができる空気調和機を得ることを目的とする。
【課題を解決するための手段】
【０００８】
上述した課題を解決し、目的を達成するために、本発明に係る空気調和機は、床置形室内機と、床置形室内機に設置され、床置形室内機を制御する制御基板と、床置形室内機に設置され、検出した冷媒の濃度に従いオンデューティを変化させた検出信号を出力する冷媒センサと、床置形室内機に設置され、検出信号を制御基板へ伝送する信号伝達経路が断線したことを示す第１の点灯状態と、信号伝達経路が断線していないことを示す第２の点灯状態とに変化する発光部とを備えたことを特徴とする。
【発明の効果】
【０００９】
本発明に係る空気調和機は、可燃性の冷媒の漏洩対策を損なうことなく断線異常対策の作業性を向上させることができる、という効果を奏する。
【図面の簡単な説明】
【００１０】
【図１】本発明の実施の形態に係る空気調和機の外観図
【図２】図１に示す床置形室内機の内観図
【図３】本発明の実施の形態に係る空気調和機が備えるリモコン、制御基板、中継基板および冷媒センサの接続状態を示す図
【図４】図３に示す制御基板、中継基板および冷媒センサの詳細構成を示す図
【図５】図４に示す冷媒センサに設けられる制御部から出力されるパルス幅変調信号の一例を示す図
【発明を実施するための形態】
【００１１】
以下に、本発明の実施の形態に係る空気調和機を図面に基づいて詳細に説明する。なお、この実施の形態によりこの発明が限定されるものではない。
【００１２】
実施の形態．
図１は本発明の実施の形態に係る空気調和機の外観図である。空気調和機１００は、室外機１と、室外機１に接続された床置形室内機２と、室外機１および床置形室内機２を相互に接続して冷媒が流れる配管３とを備える。本実施の形態に係る空気調和機１００では、可燃性の炭化水素系の冷媒が用いられている。
【００１３】
床置形室内機２は、筐体２０と、筐体２０の正面に設置される正面パネル２１と、リモートコントローラ２２とを備える。以下ではリモートコントローラ２２を単に「リモコン２２」と称する場合がある。筐体２０は中空の箱体であり、筐体２０の前面には前面開口部が形成されている。筐体２０の前面開口部には正面パネル２１が着脱可能に取り付けられている。正面パネル２１には、正面パネル２１の下側に形成された空気吸込口２１ａと、正面パネル２１の上側に形成された空気吹出口２１ｂとが設けられている。また正面パネル２１には、空気吸込口２１ａと空気吹出口２１ｂとの間に、リモコン２２が設置されている。
【００１４】
リモコン２２は、ユーザが空気調和機１００の運転操作を行うと共に、ユーザが空気調和機１００の運転状態および異常内容をモニタするためのユーザインターフェースである。運転操作としては、空気調和機１００の運転を開始する操作と、空気調和機１００の運転を停止する操作と、運転モードを切り替える操作とを例示できる。異常内容としては空気調和機１００の冷凍サイクルを構成する部品から冷媒が漏洩したことを示す冷媒漏洩情報と、床置形室内機２と室外機１との間の通信に異常が生じたことを示す通信異常情報と、後述する信号線に断線が生じたことを示す断線異常情報とを例示できる。
【００１５】
リモコン２２は、これらの運転状態および異常内容を表示する表示部２２ａを備える。空気調和機１００では、通信異常情報および断線異常情報といった情報よりも優先度の高い冷媒漏洩情報がリモコン２２の表示部２２ａに表示される。前述したように、冷媒の濃度が可燃濃度まで上昇する前に冷媒が漏洩したことをユーザへ通知することにより、空気調和機が設置されている部屋の換気を促し、またはユーザの操作により空気調和機を動作させて強制的に冷媒を拡散させるためである。また空気調和機１００では、冷媒漏洩情報が表示されているときに後述する信号線に断線が生じた場合、リモコン２２の表示部２２ａには断線異常情報が表示されず冷媒漏洩情報のみ表示される。このように冷媒漏洩情報が表示されている場合、冷媒漏洩対策を行うサービスマンは冷媒漏洩対策のみ行うため、冷媒漏洩対策が完了した後に断線異常に気づき、再度断線異常対策を行う必要が生じる。
【００１６】
本実施の形態に係る空気調和機１００はこのような問題を解決するため、冷媒センサから出力される検出信号を制御基板へ伝送する信号線に断線が生じたことを示す第１の点灯状態と、信号線に断線が生じていないことを示す第２の点灯状態とに変化する発光部を備える。このように空気調和機１００は、当該発光部の点灯状態が変化することにより断線異常の有無をサービスマンが確認できるように構成されている。以下、その構成例を具体的に説明する。
【００１７】
図２は図１に示す床置形室内機の内観図である。図２に示す床置形室内機２の筐体２０には、吸気部を構成する下部空間２００と、下部空間２００の上方に位置し、熱交換部となる上部空間２０１とが形成されている。下部空間２００と上部空間２０１との間は仕切部４によって仕切られている。仕切部４は、平板形状であり、筐体２０の上下方向の中央に設置されている。仕切部４には、下部空間２００と上部空間２０１との間の風路となる風路開口部４ａが形成されている。
【００１８】
下部空間２００は、図１に示す空気吸込口２１ａの背面側に設けられており、空気吸込口２１ａを正面パネル２１から取り外すことによって前面側に露出する。上部空間２０１は、図１に示す空気吹出口２１ｂの背面側に設けられており、空気吹出口２１ｂを正面パネル２１から取り外すことによって前面側に露出する。
【００１９】
下部空間２００には、図１に示す空気吸込口２１ａから空気吹出口２１ｂに向かう空気の流れを生じさせる室内送風ファン５が設置されている。室内送風ファン５は、モータ５ａの出力軸５ｂに接続され、複数の翼が周方向に等間隔で配置された羽根車５ｃを備えたシロッコファンである。室内送風ファン５は渦巻状のファンケーシング６で覆われている。ファンケーシング６は、図１に示す空気吸込口２１ａに対向する位置に設置されている。ファンケーシング６は仕切部４よりも下方に設置されているため、ファンケーシング６の内部は下部空間２００の一部である。
【００２０】
また下部空間２００には、冷媒の漏洩を検出する冷媒センサ７と、直方体形状の電気品箱８とが設置されている。電気品箱８は室内送風ファン５よりも上方に設置され、電気品箱８の内部には、床置形室内機２を制御する制御基板９と中継基板１０とが設置される。制御基板９は、空気調和機１００を構成する被制御機器を統括して制御する駆動制御機能と、空気調和機１００で発生した異常内容を図１に示すリモコン２２の表示部２２ａに表示する異常表示機能とを有する。被制御機器は、床置形室内機２および室外機１に搭載されるファンモータ、風向板、圧縮機およびプロペラファンといった不図示の各種機器である。異常表示機能による異常内容としては、冷媒が漏洩したこと冷媒漏洩情報と、床置形室内機２と室外機１との間の通信に異常が生じたことを示す通信異常情報と、配線７ａに断線が生じたことを示す断線異常情報とを例示できる。
【００２１】
冷媒センサ７は、冷媒センサ７から出力される検出信号７１を制御基板９へ送信するための配線７ａを備え、配線７ａは中継基板１０に接続されている。冷媒センサ７は、室内送風ファン５よりも下方に設置され、冷媒センサ７の周囲の空気中における冷媒の濃度を検出する。冷媒センサ７は、検出した冷媒の濃度に従いオンデューティを変化させた検出信号７１を出力する。冷媒センサ７の構成の詳細は後述する。
【００２２】
上部空間２０１は、室内送風ファン５により生じる空気の流れにおいて下部空間２００よりも下流側に位置している。上部空間２０１には、室内熱交換器１１が配置されている。室内熱交換器１１には冷媒が流れる室内配管１１ａの一端が接続され、室内配管１１ａの他端には継手部１２ａが設置されている。室内配管１１ａは仕切部４を貫通し、継手部１２ａは下部空間２００に位置する。延長配管である配管３の一端には継手部１２ｂが設置されている。継手部１２ａに継手部１２ｂが接続されることにより、配管３と室内配管１１ａとが接続される。
【００２３】
このように構成された床置形室内機２において冷媒の漏洩が生じる可能性があるのは、室内熱交換器１１と室内配管１１ａとのろう付け部１３と、継手部１２ａと継手部１２ｂとの接続部１４である。本実施の形態に係る空気調和機１００で用いられる冷媒は、その比重が空気の比重よりも大きい可燃性の冷媒である。そのため、ろう付け部１３および接続部１４の少なくとも一方から冷媒が漏洩した場合、下部空間２００の冷媒の濃度が上昇する。冷媒センサ７を下部空間２００の下部に設置することにより、下部空間２００の底面に貯まった冷媒の濃度を正確に測定できる。
【００２４】
冷媒センサ７から出力された検出信号７１は配線７ａおよび中継基板１０を介して制御基板９に受信される。制御基板９では、冷媒センサ７から出力された検出信号７１に基づき、漏洩した冷媒の濃度が一定値以上に達したとき、室内送風ファン５を運転して冷媒を拡散することにより、冷媒の濃度が可燃濃度まで上昇することを防止する。以下では、冷媒センサ７、制御基板９および中継基板１０の構成の詳細を説明する。
【００２５】
図３は本発明の実施の形態に係る空気調和機が備えるリモコン、制御基板、中継基板および冷媒センサの接続状態を示す図である。図４は図３に示す制御基板、中継基板および冷媒センサの詳細構成を示す図である。
【００２６】
図３に示すように、リモコン２２には配線２２ｂが接続され、配線２２ｂにはコネクタ２２ｃが設けられている。制御基板９は、制御部９ａ、接続端子９ｂおよび接続端子９ｃを備える。制御部９ａは前述した駆動制御機能と異常表示機能とを備える。接続端子９ｃがリモコン２２のコネクタ２２ｃが接続されることにより、リモコン２２が制御部９ａに接続される。
【００２７】
中継基板１０は、点灯制御部１０ａ、接続端子１０ｂおよび接続端子１０ｃを備える。接続端子１０ｂ，１０ｃはそれぞれ点灯制御部１０ａに接続される。制御基板９と中継基板１０は配線１６により接続される。具体的には、配線１６の一端側に設けられたコネクタ１６ａは、制御基板９の接続端子９ｂに接続される。配線１６の他端側に設けられたコネクタ１６ｂは、中継基板１０の接続端子１０ｃに接続される。
【００２８】
冷媒センサ７は冷媒検出回路７ｄを備える。冷媒検出回路７ｄの詳細は後述する。冷媒センサ７は配線７ａにより中継基板１０と接続される。具体的には、配線７ａの一端側に設けられたコネクタ７ｂが中継基板１０の接続端子１０ｂに接続される。配線７ａの他端側に設けられたコネクタ７ｃが冷媒センサ７に接続される。
【００２９】
図４に示す制御基板９は、制御部９ａと、接続端子９ｂと、信号線の電位を安定させるためのプルダウン抵抗である抵抗９ｄと、電源９ｅと、電源９ｅの電力を冷媒センサ７へ供給するための電源線９ｆと、冷媒センサ７から出力された検出信号７１を制御部９ａへ伝えるための信号線９ｇとを備える。
【００３０】
図４に示す中継基板１０は、点灯制御部１０ａ、接続端子１０ｂ、接続端子１０ｃおよび電源１０ｄを備える。電源１０ｄは、電源９ｅの電位と同電位である。点灯制御部１０ａは、発光部であるＬＥＤ（Ｌｉｇｈｔ  Ｅｍｉｔｔｉｎｇ  Ｄｉｏｄｅ）３０２と、ＬＥＤ３０２に流れる電流値を調整するための抵抗３０３と、信号線の電位を安定させるためのプルダウン抵抗である抵抗３１０と、信号線７ｆ，９ｇ，１０ｅの電位に影響を与えずにＬＥＤ３０２に信号を伝えるためのバッファ回路３２０とを備える。点灯制御部１０ａに設けられる発光部はＬＥＤ３０２に限定されず、ＬＥＤ３０２の代わりにレーザまたはランプといった光電素子を用いてもよい。
【００３１】
バッファ回路３２０は、ＮＰＮ型のトランジスタ３０４と、一端がトランジスタ３０４のベースに接続され他端がトランジスタ３０４のエミッタとの間に接続された抵抗３０５と、ＰＮＰ型のトランジスタ３０７と、一端がトランジスタ３０４のベースに接続され他端がトランジスタ３０７のコレクタに接続される抵抗３０６とを備える。またバッファ回路３２０は、一端が電源１０ｄとトランジスタ３０７のエミッタとに接続され他端がトランジスタ３０７のベースに接続される抵抗３０８と、一端がトランジスタ３０７のベースに接続され他端が信号線１０ｅに接続された抵抗３０９とを備える。なお点灯制御部１０ａには、バッファ回路３２０の代わりにオペアンプを用いてもよいし、１つのトランジスタを用いたベース接地回路を用いてもよい。
【００３２】
冷媒センサ７は、冷媒検出回路７ｄと、コネクタ７ｃと、電源９ｅおよび電源１０ｄの電位と同電位の電源７ｅと、冷媒検出回路７ｄから出力された検出信号７１を制御部９ａへ伝えるための信号線７ｆとを備える。冷媒検出回路７ｄは、信号線７ｆ，９ｇ，１０ｅの電位を変化させるためのトランジスタ４０２と、冷媒を検出するためのセンサ素子４０３と、センサ素子４０３で検出された冷媒の濃度に従いトランジスタ４０２のオンオフタイミングを制御する制御部４０４とを備える。トランジスタ４０２および冷媒検出回路７ｄの動作に必要な電源７ｅは、制御基板９の電源９ｅより供給されている。なお冷媒検出回路７ｄではトランジスタ４０２が用いられているが、トランジスタ４０２の代わりにオペアンプまたはリレーといったスイッチ素子を用いてもよい。
【００３３】
図５は図４に示す冷媒センサに設けられる制御部から出力されるパルス幅変調信号の一例を示す図である。図５（１）には、センサ素子４０３で検出される冷媒の濃度が一定値未満であるときに制御部４０４から出力されるパルス幅変調信号４０４ａが示される。図５（１）ではパルス幅変調信号４０４ａの１周期Ｔに対するオン時間Ｔｏｎの比率であるオンデューティが３０％である。図５（２）には、センサ素子４０３で検出される冷媒の濃度が一定値以上であるときに制御部４０４から出力されるパルス幅変調信号４０４ａが示される。図５（２）ではオンデューティが７０％である。このように制御部４０４は、センサ素子４０３で検出される冷媒の濃度が高まるほどオンデューティを高めるようなパルス幅変調信号４０４ａを生成する。
【００３４】
なおセンサ素子４０３として、冷媒による冷却作用を利用して抵抗値が変化するサーミスタを例示できる。具体的には冷媒の濃度が高くなるほど、サーミスタの抵抗値が低下して電源７ｅから制御部４０４に入力される電流値が増加する。制御部４０４はこの電流の値の大きさに基づき、図５に示されるようにパルス幅変調信号４０４ａのオンデューティを変化させる。
【００３５】
このように冷媒センサ７では、トランジスタ４０２および冷媒検出回路７ｄの動作に必要な電源７ｅが制御基板９より供給され、センサ素子４０３で検出される冷媒の濃度に応じたパルス幅変調信号４０４ａのオンデューティが変化する。これによりトランジスタ４０２が制御され、検出信号７１のオンデューティが変化する。従ってトランジスタ４０２のコレクタに接続される信号線７ｆ，９ｇ，１０ｅに印加される電位が変化する。
【００３６】
トランジスタ４０２がオンしているとき、抵抗３０８、抵抗３０９、抵抗９ｄおよびトランジスタ４０２のオン抵抗によって、電源９ｅから出力される電圧が分圧される。制御基板９の制御部９ａにはこの分圧された電圧が印加される。トランジスタ４０２がオフしているとき、抵抗３０８、抵抗３０９、抵抗３１０および抵抗９ｄによって、電源９ｅから出力される電圧が分圧される。制御基板９の制御部９ａにはこの分圧された電圧が印加される。ここでトランジスタ４０２がオンしたときとオフしたときに制御部９ａに印加される電圧が明確に区別できるほど、抵抗９ｄの値は大きくする必要がある。制御部９ａは検出信号７１のオンデューティを計測することで、冷媒の濃度が一定値以上であるか一定値未満であるかを判別できる。
【００３７】
冷媒センサ７のトランジスタ４０２がオフしているとき、制御基板９の抵抗９ｄが十分大きいため、中継基板１０のトランジスタ３０７がオフ状態となり、中継基板１０のトランジスタ３０４は、抵抗３０５によりプルダウンされるためオフ状態となる。その結果、抵抗３０３を介してＬＥＤ３０２に電流が流れるため、中継基板１０のＬＥＤ３０２は発光して点灯状態になる。
【００３８】
一方、冷媒センサ７のトランジスタ４０２がオンしているときは、抵抗３０９よって決められたベース電流が流れ、中継基板１０のトランジスタ３０７はオン状態となる。トランジスタ３０７がオンすることで、中継基板１０のトランジスタ３０４には、抵抗３０６によって決められたベース電流が供給されるため、トランジスタ３０４はオン状態となる。その結果、中継基板１０のＬＥＤ３０２の順電圧よりも、トランジスタ３０４のコレクタ−エミッタ間電圧が十分小さくなるため、ＬＥＤ３０２は消灯状態となる。
【００３９】
以上のプロセスにより、冷媒センサ７から送られた検出信号７１は中継基板１０のＬＥＤ３０２において発光信号へと変換される。
【００４０】
ここで、制御基板９と中継基板１０との接続状態が解除された場合を説明する。コネクタ１６ａが接続端子９ｂから外れ、またはコネクタ１６ｂが接続端子１０ｃから外れた場合、電源９ｅの電力が中継基板１０および冷媒センサ７へ供給されないため、中継基板１０のＬＥＤ３０２は消灯状態となる。
【００４１】
次に、中継基板１０と冷媒センサ７との接続状態が解除された場合を説明する。コネクタ７ｂが接続端子１０ｂから外れ、またはコネクタ７ｃが冷媒センサ７から外れた場合、中継基板１０は、冷媒センサ７のトランジスタ４０２がオフ状態になるため、中継基板１０のＬＥＤ３０２は点灯状態となる。
【００４２】
このように冷媒センサ７の信号伝達経路である信号線７ｆ、配線７ａ、信号線１０ｅ、配線１６および信号線９ｇが断線していない場合には、冷媒センサ７が冷媒を検出しているか否かに関わりなくＬＥＤ３０２が点滅する。一方、冷媒センサ７の信号伝達経路が断線している場合には、ＬＥＤ３０２が点灯または消灯する。そのためサービスマンはＬＥＤ３０２が点灯または消灯していることを確認することにより、冷媒センサ７の信号伝達経路の何れかが断線していることを判別できる。
【００４３】
制御部９ａは、図５（１）に示すオンデューティが短い検出信号７１を受信したときには冷媒が漏洩していないと判断し、リモコン２２に対して冷媒漏洩情報を表示させない。一方、制御部９ａは、図５（２）に示すオンデューティが長い検出信号７１を受信したときには冷媒が漏洩したと判断し、通信異常および断線異常といった情報よりも優先度の高い冷媒漏洩情報をリモコン２２に表示させる。
【００４４】
冷媒漏洩情報がリモコン２２に表示された後、冷媒センサ７の信号伝達経路が断線した場合でも、リモコン２２には冷媒漏洩情報のみ表示される。本実施の形態に係る空気調和機１００によれば、冷媒センサ７の信号伝達経路が断線していないときには、ＬＥＤ３０２が一定周期で点滅し、冷媒センサ７の信号伝達経路が断線したときには、ＬＥＤ３０２が点灯または消灯する。このようにＬＥＤ３０２は断線の有無により点灯状態が３種類に変化するため、サービスマンはＬＥＤ３０２の点灯状態を確認することにより、リモコン２２に表示されない断線異常を即座に確認できる。従って本実施の形態に係る空気調和機１００によれば、冷媒漏洩対策と断線異常対策とを同時に行うことができ、作業性が向上する。
【００４５】
リモコン２２に冷媒漏洩情報が表示された後、冷媒の濃度が一定値未満に低下した場合でも冷媒漏洩情報の表示は維持される。本実施の形態に係る空気調和機１００によれば、冷媒漏洩情報の表示が維持された状態でも、冷媒漏洩対策を行うサービスマンはＬＥＤ３０２の点灯状態を確認することにより断線異常を把握できる。
【００４６】
なお本実施の形態では点灯制御部１０ａが設けられている中継基板１０を用いた例を説明したが、点灯制御部１０ａは制御基板９に設けてもよい。点灯制御部１０ａが制御基板９に設けられることにより、電気品箱８内の機器設置スペースが制約されて中継基板１０を設置できない場合でも、サービスマンは断線異常を把握できる。点灯制御部１０ａが制御基板９に設けられる場合、制御基板９の接続端子９ｂに冷媒センサ７のコネクタ７ｂが接続される。
【００４７】
一方、点灯制御部１０ａが設けられている中継基板１０を用いた場合には、制御基板９に配線１６が接続され、さらに中継基板１０に冷媒センサ７の配線７ａが接続される。これにより既存の制御基板９に改良を加えることなく断線異常を把握できる。
【００４８】
また中継基板１０に設けられた点灯制御部１０ａは、制御基板９と中継基板１０との間の信号伝達経路である配線１６が断線した場合にはＬＥＤ３０２を消灯させ、中継基板１０と冷媒センサ７との間の信号伝達経路である配線７ａが断線した場合にはＬＥＤ３０２を点灯させるように構成されている。これによりサービスマンは断線した箇所を大まかに把握することができ、断線異常対策に伴う作業時間を短縮できる。
【００４９】
また本実施の形態に係る空気調和機１００は、冷媒センサ７の信号伝達経路が断線したことを示す第１の点灯状態では発光部を点灯または消灯させ、冷媒センサ７の信号伝達経路が断線していないことを示す第２の点灯状態では発光部を点滅させる点灯制御部１０ａを備えることにより、サービスマンは冷媒センサ７の信号伝達経路が断線しているか否かを容易に把握できる。
【００５０】
なお本実施の形態では、コネクタが接続端子に接続されることにより制御基板９および中継基板１０が電気的に接続され、さらに中継基板１０および冷媒センサ７が電気的に接続される構成例を説明したが、コネクタを用いずに配線７ａ，１６，２２ｂを直接接続端子に接続する構成でもよいし、配線７ａ，１６，２２ｂを制御基板９および中継基板１０上の不図示の配線パターンに半田付けで接続する構成でもよい。また本実施の形態ではＬＥＤ３０２が制御基板９または中継基板１０に設けられた例を説明したが、ＬＥＤ３０２は図１に示す電気品箱８の外部の何れかの場所に設置してもよい。ＬＥＤ３０２が制御基板９または中継基板１０に設けられている場合、電気品箱８の外部の何れかの場所に設置されているときに比べてＬＥＤ３０２を点灯制御部１０ａに接続するための不図示の配線を短縮すること、または省くことができ、制御基板９または中継基板１０の構成が簡素化され、歩留まりか向上すると共に信頼性が向上する。ＬＥＤ３０２が電気品箱８の外部に設けられている場合、制御基板９または中継基板１０に設置されているときに比べてＬＥＤ３０２の視認性が向上し、断線異常対策の作業性が向上する。
【００５１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５２】
１  室外機、２  床置形室内機、３  配管、４  仕切部、４ａ  風路開口部、５  室内送風ファン、５ａ  モータ、５ｂ  出力軸、５ｃ  羽根車、６  ファンケーシング、７  冷媒センサ、７ａ，１６，２２ｂ  配線、７ｂ,７ｃ,１６ａ，１６ｂ，２２ｃ  コネクタ、７ｄ  冷媒検出回路、８  電気品箱、９  制御基板、９ａ  制御部、９ｂ，９ｃ，１０ｂ，１０ｃ  接続端子、９ｆ  電源線、１０  中継基板、１０ａ  点灯制御部、１１  室内熱交換器、１１ａ  室内配管、１２ａ，１２ｂ  継手部、１３  ろう付け部、１４  接続部、７ｆ，９ｇ，１０ｅ  信号線、２０  筐体、２１  正面パネル、２１ａ  空気吸込口、２１ｂ  空気吹出口、２２  リモートコントローラ、２２ａ  表示部、７１  検出信号、１００  空気調和機、２００  下部空間、２０１  上部空間、９ｄ，３０３，３０５，３０６，３０８，３０９，３１０  抵抗、７ｅ，９ｅ，１０ｄ  電源、３０２  ＬＥＤ、３０４，３０７，４０２  トランジスタ、３２０  バッファ回路、４０３  センサ素子、４０４  制御部、４０４ａ  パルス幅変調信号。
【図１】
2017195365.tif 000003
【図２】
2017195365.tif 000004
【図３】
2017195365.tif 000005
【図４】
2017195365.tif 000006
【図５】
2017195365.tif 000007
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
床置形室内機と、
前記床置形室内機に設置され、前記床置形室内機を制御する制御基板と、
前記床置形室内機に設置され、検出した冷媒の濃度に従いオンデューティを変化させた検出信号を出力する冷媒センサと、
前記床置形室内機に設置され、前記検出信号を前記制御基板へ伝送する信号伝達経路が断線したことを示す第１の点灯状態と、前記信号伝達経路が断線していないことを示す第２の点灯状態とに変化する発光部と、
前記第１の点灯状態では前記発光部を点灯または消灯させ、前記第２の点灯状態では、前記冷媒センサが出力した検出信号に基づいて、前記発光部を点滅させる点灯制御部と
を備えたことを特徴とする空気調和機。
【請求項２】
前記制御基板と前記冷媒センサとの間に配置され、前記点灯制御部が設置される中継基板を備え、
前記点灯制御部は、前記制御基板と前記中継基板との間の前記信号伝達経路が断線した場合には前記発光部を消灯させ、前記中継基板と前記冷媒センサとの間の前記信号伝達経路が断線した場合には前記発光部を点灯させることを特徴とする請求項１に記載の空気調和機。
【請求項３】
前記発光部は前記制御基板または前記中継基板に設置されていることを特徴とする請求項２に記載の空気調和機。
【手続補正２】
【補正対象書類名】明細書
【補正対象項目名】０００８
【補正方法】変更
【補正の内容】
【０００８】
上述した課題を解決し、目的を達成するために、本発明に係る空気調和機は、床置形室内機と、床置形室内機に設置され、床置形室内機を制御する制御基板と、床置形室内機に設置され、検出した冷媒の濃度に従いオンデューティを変化させた検出信号を出力する冷媒センサと、床置形室内機に設置され、検出信号を制御基板へ伝送する信号伝達経路が断線したことを示す第１の点灯状態と、信号伝達経路が断線していないことを示す第２の点灯状態とに変化する発光部と、第１の点灯状態では前記発光部を点灯または消灯させ、第２の点灯状態では、冷媒センサが出力した検出信号に基づいて、発光部を点滅させる点灯制御部とを備えたことを特徴とする。
【国際調査報告】
2017195365.tif 000008
2017195365.tif 000009
2017195365.tif 000010
2017195365.tif 000011